(57)【特許請求の範囲】
【請求項１】
各種の動作条件を設定可能な操作部と、前記設定された動作条件を記憶する揮発性の第１の記憶部と、制御部とを備えている測定装置において、
電気的に書換えが可能な不揮発性の第２の記憶部を備え、前記制御部は、前記操作部による前記動作条件の設定時にその動作条件に従って当該測定装置の動作を制御すると共に電源投入時に初期動作条件に従って前記動作を制御し、前記操作部内における第１のキーが操作された状態で電源遮断操作が行われたときに、前記設定された動作条件を前記第２の記憶部に記憶させ、かつ、電源投入時において、前記操作部内における第２のキーが操作されていないときであって前記第２の記憶部に前記動作条件が記憶されているときに、前記第２の記憶部に記憶されている前記動作条件に従って前記動作を制御することを特徴とする測定装置。
【請求項２】
前記制御部は、前記電源投入時において、前記第２のキーが操作されているとき、および前記第２の記憶部に前記動作条件が記憶されていないときのいずれかのときに、前記初期動作条件に従って前記動作を制御することを特徴とする請求項１記載の測定装置。
【請求項３】
前記第２の記憶部は、ＥＥＰＲＯＭであることを特徴とする請求項１または２記載の測定装置。
【発明の詳細な説明】
【０００１】
【発明の属する技術分野】
本発明は、電流計、電圧計、マルチメータ、記録計などの各種の測定装置に関するものである。
【０００２】
【従来の技術】
例えばマルチメータなどの測定装置は、測定レンジ、表示スケール、および記録機能のオン／オフなど各種の動作条件を自在に設定可能に構成されている。したがって、オペレータは、操作部の各種キーを操作することにより、希望する動作条件下で測定装置を作動させることができる。このような測定装置では、一般的に、電源など投入時の初期状態における初期動作条件を規定する初期動作条件データがＲＯＭに予め記憶されており、電源投入時には、例えば、ＣＰＵが、ＲＯＭに記憶されている初期動作条件データに従って各部の動作を制御する。一方、操作部を操作して各部の動作条件を設定した際には、ＣＰＵが、その動作条件データを揮発性のメモリに記憶させ、初期動作条件に代えて、その動作条件で各部を制御する。
【０００３】
【発明が解決しようとする課題】
ところが、従来の測定装置には、以下の問題点がある。すなわち、従来の測定装置では、動作条件を新たに設定したとしても、その動作条件データが揮発性のメモリに記憶されている。このため、各種キーを何度も操作して所望の動作条件に設定した場合であっても、電源の遮断によって、その動作条件がクリアされてしまう。したがって、電源の再投時には、再度所望の動作条件に設定し直さなければならず、非常に煩雑であるという問題点が存在する。一方、動作条件が変更される度に、その動作条件データを不揮発性のＥＥＰＲＯＭ（Electrically Erasable PROM）に記憶させておく方式も考えられる。しかし、各種キーを何度も操作して複雑な動作条件に設定されている場合には、初期動作条件に復帰させる作業が却って煩雑となる。また、ＥＥＰＲＯＭの書換え回数には制限があるため、動作条件が変更される毎にその内容を書き換えるのは、ＥＥＰＲＯＭの書込み不良を招く原因となる。
【０００４】
本発明は、かかる問題点に鑑みてなされたものであり、電源遮断に起因する煩雑な動作条件の再設定作業を回避でき、しかも容易に初期動作条件に復帰させることが可能な測定装置を提供することを主目的とする。
【０００５】
【課題を解決するための手段】
上記目的を達成すべく請求項１記載の測定装置は、各種の動作条件を設定可能な操作部と、設定された動作条件を記憶する揮発性の第１の記憶部と、制御部とを備えている測定装置において、電気的に書換えが可能な不揮発性の第２の記憶部を備え、制御部は、操作部による動作条件の設定時にその動作条件に従って測定装置の動作を制御すると共に電源投入時に初期動作条件に従って動作を制御し、操作部内における第１のキーが操作された状態で電源遮断操作が行われたときに、設定された動作条件を第２の記憶部に記憶させ、かつ、電源投入時において、操作部内における第２のキーが操作されていないときであって第２の記憶部に動作条件が記憶されているときに、第２の記憶部に記憶されている動作条件に従って動作を制御することを特徴とする。この場合、本発明における不揮発性の第２の記憶部としては、ＥＥＰＲＯＭを初めとして、フロッピーディスク（登録商標）やハードディスクなどの記録媒体が含まれる。また、第１のキーと第２のキーとが同じキーであってもよいし、異なるキーであってもよい。
【０００６】
請求項２記載の測定装置は、請求項１記載の測定装置において、制御部は、電源投入時において、第２のキーが操作されているとき、および第２の記憶部に動作条件が記憶されていないときのいずれかのときに、初期動作条件に従って動作を制御することを特徴とする。
【０００８】
請求項３記載の測定装置は、請求項１または２記載の測定装置において、第２の記憶部は、ＥＥＰＲＯＭであることを特徴とする。
【０００９】
【発明の実施の形態】
以下、添付図面を参照して、本発明に係る測定装置の好適な実施の形態について説明する。
【００１０】
最初に、測定装置１の構成について図１を参照して説明する。
【００１１】
測定装置１は、電流、電圧および電力を測定可能なマルチメータであって、測定部２、制御部３、表示部４、操作部５、ＲＯＭ６およびＥＥＰＲＯＭ７を備えて構成されている。測定部２は、測定用プローブやクランプ型センサを介して入力される入力信号ＳINをアナログ−ディジタル変換して測定データＤM を生成する。制御部３は、本発明における第１の記憶部に相当する揮発性の内部メモリ３ａを有するＣＰＵで構成され、測定データＤM に基づく電流値、電圧値および電力値などの各種測定値の演算や、後述する電源オフ処理および電源オン処理などを行う。表示部４は、液晶パネルで構成されて制御部３から出力される表示データＤD に従って測定値を初めとする各種情報を表示する。操作部５は、各種キーが配設され、測定レンジ、表示スケール、および記録機能のオン／オフなど各部（測定部２、表示部４およびプリンタなど）の動作条件を自在に設定可能に構成されている。ＲＯＭ６は、制御部（ＣＰＵ）３の動作プログラムや、電源投入時の初期動作条件を規定する初期操作条件データなどを記憶する。ＥＥＰＲＯＭ７は、本発明における第２の記憶部に相当し、操作部５の各種キーによって設定された動作条件データを記憶する。
【００１２】
この測定装置１では、操作部５内の電源スイッチが投入された際には、制御部３が、ＲＯＭ６に記憶されている初期動作条件データを読み込み、その動作条件データに従って、測定部２、表示部４および図外のプリンタの動作条件を設定制御する。また、操作部５内の各種キーが操作されて動作条件が変更された際には、制御部３は、変更された動作条件に対応する動作条件データを内部メモリ３ａに記憶させると共に、その変更された動作条件に従って測定部２などを制御する。この状態で、入力信号ＳINが入力されると、測定部２は、設定された入力レンジなどの動作条件に従って入力信号ＳINをアナログ−ディジタル変換して測定データＤM を生成した後に制御部３に出力する。この後、制御部３は、測定データＤM に基づいて測定値を演算し、表示データＤD を出力することにより、設定された表示条件で測定値を表示部４に表示させる。一方、電源スイッチが遮断操作された際には、図２に示す電源オフ処理が行われる。
【００１３】
電源オフ処理では、制御部３が、操作部５内の特定のキー（例えばホールドキー５ａとし、本発明における第１キーおよび第２キーに相当する）が押圧操作されているか否かを判別する（ステップ１１）。つまり、電源スイッチとホールドキー５ａとが同時に操作されているか否かを判別する。同時操作が行われていないと判別したときには、制御部３は、そのまま電源をオフ状態に制御する（ステップ１２）。この際には、内部メモリ３ａに記憶されている動作条件データは消去される。逆に、同時操作が行われていると判別したときには、制御部３は、内部メモリ３ａに記憶されている動作条件データをＥＥＰＲＯＭ７に転送して上書き保存した後（ステップ１３）、電源をオフ状態に制御する（ステップ１２）。この際には、操作部５の操作によって変更された動作条件データは、電源遮断によって消去されることなく、ＥＥＰＲＯＭ７に記憶される。
【００１４】
次いで、電源スイッチが操作された際には、電源オン処理が行われる。この処理では、制御部３は、起動後の状態において、まず、ホールドキー５ａが操作されているか否かを判別する（ステップ２１）。操作されていないと判別したときには、制御部３は、ＥＥＰＲＯＭ７に動作条件データが保存されているか否かを判別する（ステップ２２）。保存されていると判別したときには、制御部３は、ＥＥＰＲＯＭ７から動作条件データを読み込み、その動作条件データに従って、測定部２、表示部４およびプリンタの動作条件を設定制御する。一方、ホールドキー５ａが操作されていると判別したとき（ステップ２１）、およびＥＥＰＲＯＭ７に動作条件データが保存されていないと判別したとき（ステップ２２）には、制御部３は、ＲＯＭ６に記憶されている初期動作条件データを読み込み、その初期動作条件データに従って、測定部２、表示部４およびプリンタの動作条件を設定制御する（ステップ２４）。
【００１５】
このように、この測定装置１によれば、オペレータは、操作部５の各種キーを操作して設定した動作条件データの保存を希望する際には、ホールドキー５ａと電源スイッチとを同時に操作することにより、その保存を希望する動作条件データをＥＥＰＲＯＭ７に自動的に保存させることができる。また、再度の電源投入時には、オペレータは、何ら特殊な操作を行うことなく、測定部２や表示部４の動作条件を、既設定の希望する動作条件に自動的かつ迅速に設定することができる。さらに、オペレータは、動作条件データの保存を希望しないときには、電源スイッチのみを操作して電源を遮断することにより、その動作条件データを消去することができると共に、再度の電源投入時に、ホールドキー５ａを同時操作することで各部の動作条件を自動的に初期化することができる。また、オペレータは、動作条件データを保存させた場合であっても、初期動作条件に設定変更したいと希望するときには、ホールドキー５ａを操作した状態で電源を投入するだけで、各部の動作条件を容易に初期動作条件に初期化することができる。以上のように、測定装置１の動作条件は、オペレータの選択に応じて、初期動作条件、および操作部５の操作で変更した動作条件のいずれか任意の一方に自動的に設定される。この結果、極めて使い勝手のよい測定装置１が提供される。
【００１６】
また、電源スイッチとホールドキー５ａとの同時操作時にのみＥＥＰＲＯＭ７に書込みを行うことにより、頻繁な書込みを回避できる結果、ＥＥＰＲＯＭ７の書込み不良を防止しつつ、長寿命化を図ることができる。
【００１７】
なお、本発明は、上記した本発明の実施の形態に示した構成に限定されない。例えば、本発明における第１の記憶部は、内部メモリ３ａに限らず、制御部３に接続した外部ＲＡＭで構成することもできる。また、第２の記憶部についても、ＥＥＰＲＯＭに限らず、電気的に書込みが可能な各種の不揮発性メモリを採用することができる。さらに、本発明における特定キーは、ホールドキー５ａに限らず、任意のキーを使用することができる。また、特定のキーを操作しつつ電源を投入または遮断したときや、特定のキーを操作したときに、その時点でＥＥＰＲＯＭ７に記憶されている動作条件データを消去する構成を採用することもできる。加えて、本発明の実施の形態では、マルチメータを例に挙げて説明したが、これに限らず、電圧計、電流計および電力計などにも適用できるし、波形記録計などの各種測定装置全般に適用が可能である。
【００１８】
【発明の効果】
以上のように、請求項１記載の測定装置によれば、制御部が、第１キーを操作した状態で電源遮断操作が行われたときに、設定された動作条件を不揮発性の第２の記憶部に記憶させ、かつ、電源投入時において、操作部内における第２のキーが操作されていないときであって第２の記憶部に動作条件が記憶されているときに、第２の記憶部に記憶されている動作条件に従って測定装置の動作を制御することにより、オペレータは、電源遮断に起因する煩雑な動作条件の再設定作業を回避しつつ、容易に既設定の動作条件で測定装置を作動させることができる。
【００１９】
また、請求項２記載の測定装置によれば、制御部が、電源投入時において、第２のキーが操作されているとき、および第２の記憶部に動作条件が記憶されていないときのいずれかのときに、初期動作条件に従って測定装置の動作を制御することにより、オペレータの希望に応じて、容易に初期動作条件に復帰させることができる。この結果、オペレータは、電源投入時におけるキー操作に応じて、初期動作条件、および既設定した動作条件のいずれか任意の一方に自動的に設定させることができるため、極めて使い勝手のよい測定装置が提供される。
【００２１】
また、請求項３記載の測定装置によれば、第２の記憶部をＥＥＰＲＯＭで構成したことにより、フロッピーディスク（登録商標）やハードディスクを採用する方式と比較して安価に構成できると共に、第１のキーが操作された状態で電源遮断操作が行われたときにのみ記憶内容を書き換えするため、書込み不良を回避しつつ長寿命の記憶部を構成することができる。
【図面の簡単な説明】
【図１】本発明の実施の形態に係る測定装置１のブロック図である。
【図２】電源オフ処理のフローチャートである。
【図３】電源オン処理のフローチャートである。
【符号の説明】
１  測定装置
２  測定部
３  制御部
３ａ  内部メモリ
４  表示部
５  操作部
５ａ  ホールドキー
７  ＥＥＰＲＯＭ
【図１】
0004390970.tif 000002
【図２】
0004390970.tif 000003
【図３】
0004390970.tif 000004